(57)【要約】【課題】第一半カバー（３）、第二半カバー（４）内側の凸点（３０・３１・４０・４１）を支持管（５）上の通孔（５０・５１）に掛合することにより、固定作用を高め、棚の傾斜を防止するスチール棚の支持フレーム定位構造を提供する。【解決手段】スチール棚の支持フレーム定位構造は、套管体（２）が第一半カバー（３）及び第二半カバー（４）から構成される。この第一半カバー（３）と第二半カバー（４）両端側縁の凹口（３２・４２）と凸片（３３・４３）が相互に対応して合わさる。そのうち、第一半カバー（３）及び第二半カバー（４）内側には各々凸点（３０・３１・４０・４１）があり、それを支持管（５）両側の通孔（５０・５１）に嵌入し、套管体（２）を支持管（５）上で定位して固定する。また開放式挟持によって棚の構造を拡充して自在に使用する。【選択図】図２
0003113522.tif 000002
【実用新案登録請求の範囲】
【請求項１】
第一半カバー及び第二半カバーから構成される套管体を含むスチール棚の支持フレーム定位構造において、
第一半カバーと第二半カバーは、両端側面縁の凹口と凸片が相互に合わさり、内側の凸点を支持管上の両側通孔に嵌入して挟持することを特徴とするスチール棚の支持フレーム定位構造。
【請求項２】
前記第一半カバーは、両側面端縁に欠切槽口が成形されて下向き鈎状を呈し、第二半カバーの両側面端縁にも欠切槽口が成形されて上向き鈎状を呈することを特徴とする請求項１記載のスチール棚の支持フレーム定位構造。
【請求項３】
前記第一半カバー及び第二半カバーは、外側中間背縁に各々開放溝槽が設置され、両側掛合片によって掛合されることを特徴とする請求項１記載のスチール棚の支持フレーム定位構造。
【考案の詳細な説明】
【技術分野】
【０００１】
本考案は、スチール棚の支持フレーム定位構造に関するもので、第一、第二半カバー内側の凸点を支持管上の通孔に掛合することにより、固定作用を高め、棚の傾斜を防止するものである。
【背景技術】
【０００２】
図１に示すとおり、公知のスチール棚1は、四隅の管体１０によって支えられ、その管体１０上には套環１１が設置されて層が分けられ、固定される。しかし、この套環１１はきつく締めた時の圧力によってのみ止まっているため、棚板上の積載物が偏っていたりすると、傾いて下がってしまう。更にこの套環１１は、密閉式であるため、単一フレームにのみ、設置でき、棚を増やしたくてもできない。そのため、棚を更に購入して別の場所に棚を設置するしかない。
【考案の開示】
【考案が解決しようとする課題】
【０００３】
解決しようとする問題点は、套環はきつく締めた時の圧力によってのみ止まっているため、棚板上の積載物が偏っていたりすると、傾いて下がってしまう。更にこの套環は、密閉式であるため、単一フレームにのみ、設置でき、棚を増やしたくてもできない。そのため、更に購入して別の場所に棚を設置するしかない点である。
【課題を解決するための手段】
【０００４】
本考案の請求項１に記載のスチール棚の支持フレーム定位構造は、
第一半カバー及び第二半カバーから構成される套管体を含み、第一半カバーと第二半カバーが、両端側面縁の凹口と凸片が相互に合わさり、内側の凸点を支持管上の両側通孔に嵌入して挟持することを特徴とする。
【０００５】
請求項２に記載のスチール棚の支持フレーム定位構造は、請求項１において、
前記第一半カバーが、両側面端縁に欠切槽口が成形されて下向き鈎状を呈し、第二半カバーの両側面端縁にも欠切槽口が成形されて上向き鈎状を呈することを特徴とする。
【０００６】
請求項３に記載のスチール棚の支持フレーム定位構造は、請求項１において、
前記第一半カバー及び第二半カバーが、外側中間背縁に各々開放溝槽が設置され、両側掛合片によって掛合されることを特徴とする。
【考案の効果】
【０００７】
本考案のスチール棚の支持フレーム定位構造は、第一、第二半カバー内側の凸点を支持管上の通孔に掛合することにより、固定作用を高め、棚の傾斜を防止するという利点がある。
【考案を実施するための最良の形態】
【０００８】
本考案は、套管体が第一半カバー及び第二半カバーから構成される。この第一半カバーと第二半カバー両端側縁の凹槽口と凸片が相互に対応して合わさる。そのうち、第一半カバー及び第二半カバー内側には各々凸点があり、それを支持管両側の通孔に嵌入し、套管体を支持管上で定位して固定する。また開放式挟持によって棚の構造を拡充して自在に使用することを最も主要な特徴とする。
【０００９】
（実施例１）
本考案のスチール棚の支持フレーム定位構造は、図２，３に示すとおりで、套管体２は第一半カバー３及び第二半カバー４から構成される。この第一半カバー３内側には凸点３０、３１が上下両端垂直に一定間隔で設置される。この第一半カバー３内側の凸点３０，３１は支持管５上の通孔５０，５１にちょうど嵌入するように設置され、第一半カバー３が支持管５上にしっかりと嵌る。この第一半カバー３一側端には凹口３２が成形され、別端は凸片３３が成形される。第二半カバー４内側にも凸点４０，４１があり、上下垂直で一定間隔に設置される。第二半カバー４内側の凸点４０，４１は支持管５上の通孔５１５２にちょうど嵌入するように設置されて第二半カバー４が支持管５上にしっかりと嵌る。第二半カバー４一側端には凹口４２が成形され、別端は凸片４３が成形される。これらの第一、第二半カバー３，４の凹口３２，４２と凸片３３、４３が相互に嵌合される。
【００１０】
（実施例２）
図４及び図５に示すとおり、この套管体６は、第一半カバー６０及び第二半カバー６１から構成される。第一半カバー６０内側の凸点６００，６０１は上下両端垂直に一定間隔で設置され、第一半カバー６０内側の凸点６００，６０１は支持管５上の通孔５０，５１にちょうど嵌入するように設置され、第一半カバー６０が支持管５上にしっかりと嵌る。また第一半カバー６０両側には欠切槽口６０２，６０３が下向きの鈎状で成形される。第二半カバー６１内側には凸点６１０，６１１があり、支持管５上の通孔５０，５１にちょうど嵌入し、そこに第二半カバー６１がしっかり止まる。この第二半カバー６１両側には欠切槽６１２、６１３が上向き鈎状で成形される。
【００１１】
（実施例３）
この套管体７は、第一半カバー７０と第二半カバー７１から構成される。この第一半カバー７０内側には凸点７００、７０１が上下両端垂直に一定距離をおいて設置され、第一半カバー７０内側の凸点７００，７０１が支持管５上の通孔５０，５１にちょうど嵌入するように設置され、第一半カバー７０が支持管５上にしっかりと嵌る。この第一半カバー７０両側側端には各々対称凸片７０２、７０３が下縁に伸びる。第二半カバー７１内側には凸点７１０，７１１が支持管５上の通孔５０，５１にちょうど嵌入するように設置され、第二半カバー７１が支持管５上にしっかりと嵌る。第二半カバー７１両側端には各々対称凸片７１２，７１３が上縁に伸び、この第一半カバー７０及び第二半カバー７１外側中間背縁にそれぞれ溝槽７０４，７１４が成形され、そこに掛合片７２が掛合される。掛合片７２から支桿７２０が伸びる。
【００１２】
（実施例４）
図７に示すとおり、この套管体８は、第一半カバー８０及び第二半カバー８１から構成される。第一半カバー８０内側には凸点８００、８０１があり、ちょうど支持管５上の通孔５０，５１に嵌入されてちょうど嵌る。また第一半カバー８０両側には各々対称凸片８０２、８０３が伸びて下縁に位置する。第二半カバー８１内側にも凸点８１０、８１１が支持管５上の通孔５０，５１に嵌入されてちょうど嵌る。第二半カバー８１両側端縁には対称凸片８１２，８１３が伸びて、上縁に位置する。また第一半カバー８０及び第二半カバー８１外側中間背縁には各々開放溝槽８０４、８１４が設置されて、そこに両掛合片８２，８３を掛合する。
【００１３】
図８に示すとおり、第一半カバー３及び第二半カバー４は左右各々支持管５上に挟持されて套管体２を形成する。続いて支持環９を套管体２外側に嵌めてきつく固定する。
【００１４】
図９に示すとおり、第一半カバー３及び第二半カバー４は左右各々支持管５上に挟持されて套管体２を形成する。続いて半開放型の掛合片を連結し、別側面の套管体２で必要に応じて連続拡充する。このように構造が簡単で、第一半カバー及び第二半カバーを嵌合するだけで網板の掛合片８２を連結するもので、掛合片自身に弾性作用があるため、半カバーの溝槽８１４内に嵌入するだけで展示陳列棚を拡充し、便利、且つコストを下げることができる。
【図面の簡単な説明】
【００１５】
【図１】公知のスチール棚支持フレーム定位構造指示図である。
【図２】本考案の第一実施例立体分解図である。
【図３】本考案の組立立体図である。
【図４】本考案の第二実施例の分解立体図である。
【図５】本考案の別の嵌合実施例の組立立体図である。
【図６】本考案の第三実施例の分解立体図である。
【図７】本考案の第四実施例で別の嵌合実施例の組立立体図である。
【図８】本考案の支持環を套管体外側に嵌合する前の実施例立体図である。
【図９】本考案の開放式掛合片で棚を拡充する実施例の分解図である。
【符号の説明】
【００１６】
１        スチール棚
１０        管体
１１        套環
２        套管体
３        第一半カバー
３０        凸点
３１        凸点
３２        凹口
３３        凸片
４        第二半カバー
４０        凸点
４１        凸点
４２        凹口
４３        凸片
５        支持管
５０        通孔
５１        通孔
６        套管体
６０        第一半カバー
６１        第二半カバー
６００        凸点
６０１        凸点
６０２        欠切槽口
６０３        欠切槽口
６１０        凸点
６１１        凸点
６１２        欠切槽口
６１３        欠切槽口
７        套管体
７０        第一半カバー
７１        第二半カバー
７００        凸点
７０１        凸点
７０２        対称凸片
７０３        対称凸片
７０４        溝槽
７１０        凸点
７１１        凸点
７１２        対称凸片
７１３        対称凸片
７１４        溝槽
７２        掛合片
７２０        支桿
８        套管体
８０        第一半カバー
８１        第二半カバー
８００        凸点
８０１        凸点
８０２        対称凸片
８０３        対称凸片
８０４        開放溝槽
８１０        凸点
８１１        凸点
８１２        対称凸片
８１３        対称凸片
８１４        開放溝槽
８２        掛合片
８３        掛合片
９        支持環
９３        網板
【図１】
0003113522.tif 000003
【図２】
0003113522.tif 000004
【図３】
0003113522.tif 000005
【図４】
0003113522.tif 000006
【図５】
0003113522.tif 000007
【図６】
0003113522.tif 000008
【図７】
0003113522.tif 000009
【図８】
0003113522.tif 000010
【図９】
0003113522.tif 000011